(57)【要約】【課題】ハンドル回転操作時にスプール軸をスムーズに前後方向に往復動させる魚釣用スピニングリールを提供する。【解決手段】魚釣用スピニングリールは、ハンドル５の回転操作によって回転駆動されるドライブギア７に噛合し、先端にロータ２が固定されたピニオンギア８と、前端側に釣糸が巻回されるスプールを装着し、ピニオンギア８に挿通されるスプール軸３ａと、スプール軸の後端側を支持し、ドライブギアの駆動に伴ってスプール軸を前後方向に往復駆動させるオシレート機構１２とを有する。スプール軸３ａは、ピニオンギアの前端側の内面、及び、オシレート機構の摺動体１５の２箇所で支持されており、摺動体は、リール本体内に配設され、スプール軸方向に沿って配設される２つのガイド２３ａ，２３ｂによって前後方向に移動可能に支持されている。【選択図】図２
2015065836.tif 000002
【特許請求の範囲】
【請求項１】
リール本体に回転可能に支持されたハンドルの回転操作によって回転駆動されるドライブギアに噛合し、先端にロータが固定されたピニオンギアと、
前端側に釣糸が巻回されるスプールを装着し、前記ピニオンギアに挿通されるスプール軸と、
前記スプール軸の後端側を支持し、前記ドライブギアの駆動に伴ってスプール軸を前後方向に往復駆動させるオシレート機構と、
を有する魚釣用スピニングリールにおいて、
前記スプール軸は、前記ピニオンギアの前端側の内面、及び、前記オシレート機構の摺動体の２箇所で支持されており、
前記摺動体は、リール本体内に配設され、スプール軸方向に沿って配設される２つのガイドによって前後方向に移動可能に支持されていることを特徴とする魚釣用スピニングリール。
【請求項２】
前記ピニオンギアの前端面には、軸方向に沿って座繰りが形成されていることを特徴とする請求項１に記載の魚釣用スピニングリール。
【請求項３】
前記２つのガイドの一方は、遊度を持って前記摺動体と係合していることを特徴とする請求項１又は２に記載の魚釣用スピニングリール。
【請求項４】
前記ピニオンギアの前端側の内面における前記スプール軸の支持は、ピニオンギアとスプール軸との間に介在されるカラー又は軸受によって成されることを特徴とする請求項１から３のいずれか１項に記載の魚釣用スピニングリール。
【請求項５】
前記ピニオンギアは、噛合範囲よりも前方でリール本体に対して軸受支持されていることを特徴とする請求項１から４のいずれか１項に記載の魚釣用スピニングリール。
【請求項６】
前記ピニオンギアは、噛合範囲の前後両側でリール本体に対して軸受支持されていることを特徴とする請求項１から４のいずれか１項に記載の魚釣用スピニングリール。
【発明の詳細な説明】
【技術分野】
【０００１】
本発明は、魚釣用スピニングリールに関し、詳細には、ドライブギアによって回転駆動されるピニオンギア、及び、釣糸が巻回されるスプールを前後往復動可能に支持し、前記ピニオンギアに挿通されるスプール軸の支持構造に特徴を有する魚釣用スピニングリールに関する。
【背景技術】
【０００２】
従来、魚釣用スピニングリールは、ハンドルを回転操作することで回転駆動されるロータと、釣糸が巻回され前後方向に往復駆動されるスプールとを備えた構成となっている。一般的に知られているように、前記ロータは、ハンドル軸に装着されたドライブギアと噛合し、ハンドル軸と直交する方向に回転可能に支持されたピニオンギアの前端にロータナットによって固定されることで回転駆動され、前記スプール軸は、前記ピニオンギアに挿通され、ドライブギアによって駆動されるオシレート機構（往復動装置）によって前後方向に往復駆動される。
【０００３】
前記スプール軸は、ハンドルを回転操作した際、回転駆動されているピニオンギアを挿通した状態で往復駆動されるため、スプールに大きな負荷が作用してスプール軸が撓むとピニオンギアの内面とスプール軸との接触圧が大きくなり、これによりスプール軸の摺動抵抗が増大しハンドルの回転操作が重くなってしまう。
【０００４】
そこで、例えば、特許文献１に開示されているように、ピニオンギアの内面に軸方向に沿って凹所（隙間）を形成し、ピニオンギアの内面とスプール軸との間に隙間を形成することが知られている。また、特許文献２には、ピニオンギアとスプール軸の外周を非接触状態にした構成が開示されている。この構成では、ピニオンギアの前部にロータナットを噛合させ、ロータナットとスプール軸との間に軸受を配設すると共に、ピニオンギアの後端面の後方近傍に、リール本体との間で軸受を配設している。
【先行技術文献】
【特許文献】
【０００５】
【特許文献１】特開２００１−２５８４３８号
【特許文献２】特開２００６−３３３７０５号
【発明の概要】
【発明が解決しようとする課題】
【０００６】
上記した構成では、いずれもスプール軸を支持している２点間距離が短い（ピニオンギアの軸方向長さの範囲内での２点支持、ピニオンギアの両端面近傍部同士の２点支持）ため、ピニオンギアの内径とスプール軸の外径の僅かな隙間によって、スプール軸がラジアル方向にガタ付き易いという問題がある。
【０００７】
また、特許文献２に開示されているように、ピニオンギアに螺合したロータナットとスプール軸との間に軸受を配設すると、ピニオンギアに対するロータナットの芯が出難く、ピニオンギアが回転するとロータナットの組み付け偏心によってスプール軸が振り回される可能性がある。さらに、スプール軸の位置決めにしたがってオシレート機構の摺動体の位置が決まるため、上記のように、スプール軸がガタ付いたり振り回されると、スプール軸（スプール）を精度良く前後動させることができない可能性がある。
【０００８】
本発明は、上記した問題に着目してなされたものであり、ハンドル回転操作時にスプール軸をスムーズに前後方向に往復動させる魚釣用スピニングリールを提供することを目的とする。
【課題を解決するための手段】
【０００９】
上記した目的を達成するために、本発明に係る魚釣用スピニングリールは、リール本体に回転可能に支持されたハンドルの回転操作によって回転駆動されるドライブギアに噛合し、先端にロータが固定されたピニオンギアと、前端側に釣糸が巻回されるスプールを装着し、前記ピニオンギアに挿通されるスプール軸と、前記スプール軸の後端側を支持し、前記ドライブギアの駆動に伴ってスプール軸を前後方向に往復駆動させるオシレート機構と、を有しており、前記スプール軸は、前記ピニオンギアの前端側の内面、及び、前記オシレート機構の摺動体の２箇所で支持されており、前記摺動体は、リール本体内に配設され、スプール軸方向に沿って配設される２つのガイドによって前後方向に移動可能に支持されていることを特徴とする。
【００１０】
上記した構成の魚釣用スピニングリールによれば、スプール軸は、ピニオンギアの前端側の内面、及び、前記オシレート機構の摺動体の２箇所で支持されており、その間はピニオンギアの内面やリール本体に対して非支持状態（非接触状態）が維持されていることから、２箇所の支持部の間隔が従来よりも長くなり、スプール軸がラジアル方向にガタ付き難くなる。また、これに伴い、スプール軸が前後方向に摺動した際の抵抗が軽減され、ピニオンギアとの隙間によってフレキシブルに傾くことが可能となる。また、スプール軸の前方側は、ピニオンギアの前端側内面で支持されており、ロータナットとの間に介在される軸受によって支持する構造ではないため、ピニオンギアに対するロータナットの芯ずれによる影響を受けることはない。したがって、ピニオンギアは安定した状態で回転することができ、これにより、ピニオンギアに挿通されるスプール軸は安定して前後方向に摺動することが可能となる。さらに、摺動体を２つのガイドで位置決めするため、精度良く位置決めすることができ、これにより、スプール軸を精度良く往復駆動させることができる。
【発明の効果】
【００１１】
本発明によれば、ハンドルを回転操作したときにスプール軸がスムーズに前後方向に往復動できる魚釣用スピニングリールが得られる。
【図面の簡単な説明】
【００１２】
【図１】本発明に係る魚釣用スピニングリールの第１の実施の形態を示す図であり、内部構成を示した図。
【図２】図１に示す魚釣用スピニングリールを後方から見た部分断面図。
【図３】（ａ）及び（ｂ）は、それぞれ図２に示すオシレート機構の摺動体の変形例を示す図。
【図４】図１の要部拡大図。
【図５】本発明に係る魚釣用スピニングリールの第２の実施の形態を示す図であり、内部機構の要部拡大図。
【図６】本発明に係る魚釣用スピニングリールの第３の実施の形態を示す図であり、内部機構の要部拡大図。
【図７】本発明に係る魚釣用スピニングリールの第４の実施の形態を示す図であり、内部機構の要部拡大図。
【図８】本発明に係る魚釣用スピニングリールの第５の実施の形態を示す図であり、内部機構の要部拡大図。
【発明を実施するための形態】
【００１３】
以下、本発明に係る魚釣用スピニングリールの実施形態について図面を参照しながら具体的に説明する。
図１から図４は、本発明に係る魚釣用スピニングリールの第１の実施形態を示し、図１は内部構成を示した図、図２は図１に示す魚釣用スピニングリールを後方から見た部分断面図、図３（ａ）（ｂ）は図２に示すオシレート機構の摺動体の変形例を示す図、そして、図４は図１の要部拡大図である。
【００１４】
魚釣用スピニングリールのリール本体１には、釣竿に装着されるリール脚１ａが一体形成されており、その前方には回転可能に支持されたロータ２と、ロータ２の回転運動と同期して前後動可能に支持されたスプール３が配設されている。
【００１５】
前記リール本体１内には、ハンドル軸５ａが回転可能に支持されており、その突出端部には、ハンドル５が取り付けられている。また、ハンドル軸５ａには、巻取り駆動機構が係合しており、この巻取り駆動機構は、ハンドル軸５ａに取り付けられ、内歯が形成されたドライブギア（駆動歯車）７と、このドライブギア７に噛合すると共にハンドル軸５ａと直交する方向に延出し、内部に軸方向に延出する空洞部８ａが形成されたピニオンギア８とを備えている。なお、ピニオンギア８は、その後端側に歯部８ｂが形成されており、この歯部８ｂがドライブギア７と噛合関係となる。このため、図４の符号Ｗで示す長さが両ギアの噛合範囲となる。
【００１６】
前記ピニオンギア８の前方側には、雄螺子部８ｃが形成されており、前記ロータ２の中心孔をピニオンギアの前端部に嵌合し、この部分にロータナット９を締め付けることで、ロータ２は、ピニオンギア８に対して固定される。
【００１７】
本実施形態のピニオンギア８は、噛合範囲Ｗの前方（スプール側）の２箇所で軸受１０ａ，１０ｂを介してリール本体１に回転可能に支持されており、その空洞部８ａには、ハンドル軸５ａと直交する方向に延出し、先端側に前記スプール３を装着したスプール軸３ａが軸方向に移動可能に挿通されている。この場合、ピニオンギア８の中間領域の外周には、公知の一方向クラッチ１１が配設されており、リール本体１の後方に回動可能に支持された切換レバー１１ａを切換操作することで、ピニオンギア（ロータ）の回転状態を切り換え可能にしている（両方向の回転状態／釣糸巻き取り方向のみの回転状態を切り換える）。前記軸受は、前方側において、前記ピニオンギア８に対して回り止めされる一方向クラッチ１１の内輪１１ｂとリール本体１との間に設置され（軸受１０ａ）、後方側において、前記噛合範囲Ｗの近傍にワッシャ１０ｃを介して設置される（軸受１０ｂ）。
【００１８】
前記ピニオンギア８には、スプール３（スプール軸３ａ）を前後往復動させるための往復動装置（オシレート機構）１２が係合している。
本実施形態の往復動装置１２は、リール本体内に回転可能に支持され、スプール軸３ａと平行に延出する螺軸（ウォームシャフト）１３と、前記スプール軸３ａの後端部に固定される摺動体（オシレーティングスライダ）１５とを備えている。前記螺軸１３の前端部には、前記ピニオンギア８と噛合するオシレートギア１６が設けられており、前記ハンドル５を回転操作することで、螺軸１３は、前記ドライブギア７、ピニオンギア８及びオシレートギア１６を介して回転駆動されるようになっている。
【００１９】
前記螺軸１３の周面には、軸方向に沿って螺旋状のカム溝１３ａが形成されており、このカム溝１３ａに、後述する摺動体１５に収容保持された係合ピン１８の係合爪１８ａが係合されている。
【００２０】
前記摺動体１５は、円筒状の収容孔１５ａを有する本体１５Ａを備えており、この本体１５Ａがスプール軸３ａの後端部に取り付けられて、スプール軸３ａの後端は支持された状態となっている。この場合、スプール軸３ａの後端部分には、断面が非円形でハンドル軸の軸方向と直交する平坦面３ｂが形成されており、この平坦面３ｂに対して、抜け止め部材（プレート）２０が当て付けられて、ハンドル軸方向から止めネジ２１が螺入されることで、スプール軸３ａは摺動体１５に対して回り止め固定されている。
【００２１】
前記本体１５Ａの円筒状の収容孔１５ａ内には、円柱状に構成された係合ピン１８が収容保持されており、その一端側（先端部）には、前記螺軸１３のカム溝１３ａに係合される係合爪１８ａが形成されている。また、他端側は前記抜け止め部材２０に当て付いて抜け止め保持されている。
【００２２】
前記摺動体１５（本体１５Ａ）は、リール本体１内に配設され、スプール軸方向に沿って配設される２つのガイドによって前後方向に移動可能に支持されている。本実施形態の２つのガイドは、リール本体内に設置される２本のシャフト２３ａ，２３ｂによって構成されており、これらのシャフトは、螺軸１３の上下で平行となるように配設されている。
【００２３】
このため、本体１５Ａには、前記シャフト２３ａが貫通する開口孔１５ｂと、前記シャフト２３ｂが貫通する開口孔１５ｃが形成されており、摺動体は、２本のシャフトによって安定した状態で前後方向に案内される。この場合、２本のシャフトの一方（本実施形態ではシャフト２３ａとされる）は、遊度を持って摺動体（本体１５Ａ）と係合するようにしており、具体的には、図２に示すように、上側の開口孔１５ｂが上下方向の長い楕円状の開口として構成されている。
【００２４】
なお、２つのガイドの構成、及び、摺動体の本体の遊度を持たせた係合の仕方については、種々変形することが可能である。例えば、図３（ａ）に示すように、本体１５Ａに、シャフト２３ａが遊度を持って係合するように、一端が開口した長孔状の切欠き１５ｂ´としても良い。或いは、図３（ｂ）に示すように、リール本体内にシャフト２３ａを設置する代わりに、リール本体内にスプール軸方向に沿うガイドレール２３ａ´を一体的に形成し、このガイドレール２３ａ´を、図３（ａ）に示すような切欠き１５ｂ´に係合させるような構成であっても良い。このようにリール本体１を構成する部材でそのままガイドを形成することで、部品点数を削減することができ、組み付け作業も容易に行えるようになる。
【００２５】
前記ピニオンギア８は、前端側の内面でスプール軸３ａを支持している。すなわち、ピニオンギア８には、スプール軸３ａがピニオンギア８の内面に対して接触しないように、ピニオンギア８の後端面８ｄから前端側に至るまで、スプール軸３ａが挿通される部分に座繰り８ｅが形成されており、スプール軸３ａは、前端側の領域Ｌ１で、ピニオンギア８の内面８ｆに対して支持（１箇所で支持）された状態となっている。
【００２６】
また、スプール軸３ａは、ピニオンギア８の後端面８ｄから後方側では、リール本体１に対して非支持（軸受やカラー等によってリール本体に対して支持されていない）となっており、スプール軸３ａの後端が前記摺動体１５で支持された状態となっている。すなわち、スプール軸３ａは、ピニオンギア８の前端側の内面８ｆで支持されると共に、後端部で摺動体１５に支持された状態（軸方向２箇所で支持された状態）となっており、その間の領域は、他物と非接触状態が維持されている。
【００２７】
上記したような支持態様において、前端側の支持部（内面８ｆ）は、スプール軸３ａをできるだけ長い間隔をおいて２箇所で支持するように設定される。好ましくは、支持部（内面８ｆ）を形成する位置は、ピニオンギアの前端面８ｈから距離Ｌ１の範囲内とされ、具体的には、ピニオンギア８の全長をＬとした場合、Ｌ１は、その２０％以下に設定することが好ましい。すなわち、スプール軸３ａのピニオンギア８の内面に対する支持領域をＬ１の範囲内にすることで、スプール軸３ａの２箇所の支持間隔をできるだけ長く設定することが可能となり、スプール軸をスムーズに前後動させることが可能となる。
【００２８】
上記した構成の魚釣用スピニングリールによれば、ハンドル５を回転操作すると、ドライブギア７とピニオンギア８の噛合関係によってピニオンギア８が回転駆動され、ロータ２が回転駆動される。また、往復動装置１２の螺軸１３が、ピニオンギア８と噛合するオシレートギア１６を介して回転駆動され、摺動体１５は、螺軸１３に形成されたカム溝１３ａに係合する係合ピン１８を介して、安定した状態で前後方向に往復駆動される。すなわち、ハンドル５の巻き取り操作に伴って、ロータ２の回転と同期してスプール３は、摺動体１５に支持されたスプール軸３ａと共に前後往復動される。
【００２９】
前記スプール軸３ａは、ピニオンギアの前端側の内面８ｆ、及び、オシレート機構の摺動体１５の軸方向２箇所で支持されており、その間はピニオンギアの内面やリール本体に対して非支持状態（非接触状態）が維持されていることから、２箇所の支持部の間隔が長くなり、スプール軸３ａがラジアル方向にガタ付き難くなる。また、スプール軸３ａはピニオンギア８の内面との隙間Ｇによってフレキシブルに傾くことが可能となり、スプール軸３ａが前後方向に摺動した際の抵抗が軽減される。そして、スプール軸３ａの前方側は、ピニオンギアの前端側の内面８ｆで支持されており、特許文献２のように、ロータナットとの間に介在される軸受によって支持する構造ではないため、ピニオンギアに対するロータナットの芯ずれによる影響を受けることはない。したがって、ピニオンギア８は安定した状態で回転することができ、これにより、スプール軸３ａは安定して前後方向に摺動することが可能となる。
【００３０】
なお、スプール軸３ａは、噛合範囲Ｗの前方のピニオンギアの内面の支持部８ｆで支持されているため、ハンドル巻き取り操作時にピニオンギア８に対して大きな負荷（下向きの負荷）が作用すると、この支持部を介してスプール軸３ａを撓ませようとする力が作用するものの、このような力が作用しても、スプール軸３ａは、ピニオンギアの後端部近傍ではリール本体に対して支持されていないため、摺動時に他物から摺動抵抗が作用することもない。すなわち、ハンドル巻き取り操作時にピニオンギアに対して大きな負荷が作用しても、スプール軸３ａには摺動抵抗が作用することはなく、ハンドルの巻き取り操作が重くなるようなことはない。
【００３１】
また、前記摺動体１５はシャフト２３ｂ（丸孔）で位置決めされ、シャフト２３ａ（長孔）で回転方向が規制される。このように２本のシャフト２３ａ，２３ｂで位置決めされて回転方向が規制案内される摺動体１５でスプール軸３ａの後端を支持し、前端をピニオンギアの内面８ｆで支持するため、スプール軸自体を精度良く支持することができ、安定して往復動させることが可能となる。この場合、一方のシャフト２３ｂを遊度なく本体１５Ａに係合することで、摺動体をガタ付かせることなく前後に摺動案内することができ、もう一方のシャフト２３ａに回転方向の規制を図りながら遊度を持たせることにより、シャフト２３ａ，２３ｂの設置に際して平行度のずれが生じていても、そのずれが吸収されて、摺動体（スプール軸）を安定して往復動させることが可能となる。
【００３２】
また、摺動体を２本のシャフトで支持したことにより、本体１５Ａに螺軸１３を挿通させる部分を形成する必要がなくなり、摺動体の構成を簡略化して軽量化を図ることが可能となる。
【００３３】
さらに、前記ピニオンギア８は、噛合範囲Ｗよりも前方でリール本体１に対して複数の軸受１０ａ，１０ｂによって支持されているため、ピニオンギアの回転が安定するとともに、前記噛合範囲Ｗに大きな負荷Ｐが作用しても、ピニオンギア８を撓ませることが抑制され、スプール軸３ａに対する摺動抵抗を軽減することが可能となる。
【００３４】
図５は、本発明に係る魚釣用スピニングリールの第２の実施の形態を示す図であり、図４に示した構成と同様、内部機構の要部拡大図である。なお、以下の実施形態では、第１の実施形態と同一の構成要素については、同一の参照符号を付し、その詳細な説明については省略する。
【００３５】
この実施形態では、上記した第１の実施形態のピニオンギア８の前端面８ｈから摺動体側に向けて座繰り８ｇを形成している。
このように座繰り８ｇを形成することで、ロータナット９の締結時におけるピニオンギア８の前端側の撓みによるスプール軸３ａの摩擦抵抗発生を防止でき、そして、ピニオンギアの軽量化が図れると共に、摺動抵抗の軽減が図れ、スプール軸をより滑らかに摺動させることが可能となる。なお、座繰り８ｇの深さについては、その支持領域８ｆ´が前記Ｌ１の範囲内であり、かつ、ロータナット９が螺合される位置よりも深くすることが好ましい。
【００３６】
図６及び図７は、本発明に係る魚釣用スピニングリールの第３及び第４の実施の形態を示す図であり、それぞれ図４に示した構成と同様、内部機構の要部拡大図である。
【００３７】
これらの実施形態に示すように、前記ピニオンギア８の前端側の内面におけるスプール軸３ａの支持に関しては、図６に示すように、ピニオンギア８とスプール軸３ａとの間にカラー３０を介在しても良いし、図７に示すように、軸受３１を介在しても良い。
【００３８】
図６に示すカラー３０は、ピニオンギア８の前端面に所定の深さの座繰りを形成しておき、前端面側の開口から挿入して座繰りによって形成される段部８ｋに当て付けることで位置決めされる。また、図７に示す軸受３１についても、ピニオンギア８の前端面に所定の深さの座繰りを形成しておき、前端面側の開口から挿入して座繰りによって形成される段部８ｋ´に当て付けることで位置決めされる。
【００３９】
このような構成によれば、スプール軸３ａの前後往復動案内を図りながら、摺動抵抗が軽減すると共に、ピニオンギア８の回転性能を向上することが可能となる。
【００４０】
図８は、本発明に係る魚釣用スピニングリールの第５の実施の形態を示す図であり、図４に示した構成と同様、内部機構の要部拡大図である。
【００４１】
この実施形態のピニオンギア８は、噛合範囲Ｗの前後両側に軸受１０ａ，１０ｂを配設することでリール本体１に回転可能に支持されている。
上記したように、噛合範囲Ｗでは、ハンドル回転操作時に大きな負荷Ｐが作用するものの、この大きな負荷が作用する両側でピニオンギア８を回転可能に支持することで、ピニオンギア８が安定して支持されるようになり、回転がスムーズになると共に、スプール軸３ａに対する撓みの影響をより軽減することが可能となる。
【００４２】
以上、本発明の実施形態について説明したが、本発明は、上記した実施形態に限定されることはなく、種々変形することが可能である。例えば、上記した実施形態では、往復動装置１２は、ウォームシャフトによって前後に往復動させるようにしているが、ギアオシレート方式として構成しても良い。また、摺動体に形成される２つのガイドが係合する係合部の形状や遊度、更には摺動体の形状等については適宜設定される。
【符号の説明】
【００４３】
１  リール本体
２  ロータ
３  スプール
３ａ  スプール軸
７  ドライブギア
８  ピニオンギア
１０ａ，１０ｂ  軸受
１２  オシレート機構
２３ａ，２３ｂ  シャフト（ガイド）
【図１】
2015065836.tif 000003
【図２】
2015065836.tif 000004
【図３】
2015065836.tif 000005
【図４】
2015065836.tif 000006
【図５】
2015065836.tif 000007
【図６】
2015065836.tif 000008
【図７】
2015065836.tif 000009
【図８】
2015065836.tif 000010